(57)【要約】【課題】  車両走行中にドアを確実にチャイルドロックできるチャイルドロック装置を提供する。【解決手段】  運転席側のドアを除く全てのドアにドアをチャイルドロックできるドアロックアクチュエータ１４が備えられている。ＥＣＵ１は、車速信号発生器６からの車速信号に基づいて車両が走行中か否かを判断し、走行中である場合、ドアロックアクチュエータ１４を制御してドアをチャイルドロックさせる。このように走行中にチャイルドロックを自動的に設定するため、設定忘れなどによる走行中の開ドアを確実に防止できる。【選択図】      図１
2005273173.tif 000002
【特許請求の範囲】
【請求項１】
ドアの車内側に設けられたドアインナハンドルによる開ドア操作を無効にすることができるチャイルドロック機能を電気的に制御可能なチャイルドロック装置であって、
前記ドアをチャイルドロックするチャイルドロック機構と、
走行状態検出手段が検出した車両の走行状態に基づき、前記チャイルドロック機構を制御する制御手段とを備え、
前記制御手段は、前記走行状態検出手段によって前記車両が走行中であると検出された場合、前記チャイルドロック機構を制御し、前記ドアをチャイルドロックさせることを特徴とするチャイルドロック装置。
【請求項２】
前記ドアには当該ドアを自動で開閉する自動開閉手段が備えられ、前記自動開閉手段が作動禁止状態の場合、
前記制御手段は、前記チャイルドロック機構を制御して前記ドアをチャイルドロックさせることを特徴とする請求項１に記載のチャイルドロック装置。
【請求項３】
前記制御手段は、前記ドアをチャイルドロックさせた後、前記走行状態検出手段によって前記車両が走行停止したと検出された場合、ドアインナハンドルが操作された際に、前記チャイルドロックを解除することを特徴とする請求項１または２に記載のチャイルドロック装置。
【請求項４】
前記制御手段は、前記ドアをチャイルドロックさせた後、前記走行状態検出手段によって前記車両が走行停止したと検出された場合、所定時間が経過した後に、前記チャイルドロックを解除することを特徴とする請求項１または２に記載のチャイルドロック装置。
【請求項５】
前記制御手段は、前記ドアをチャイルドロックさせた後、前記走行状態検出手段によって前記車両が走行停止したと検出された場合、所定時間が経過した後であって、かつ、ドアインナハンドルが操作された際に、前記チャイルドロックを解除することを特徴とする請求項３または４に記載のチャイルドロック装置。
【請求項６】
チャイルドロックの設定または設定を解除するオートチャイルドロック設定スイッチが、さらに備えられ、
前記制御手段は、前記オートチャイルドロック設定スイッチの操作状態に応じて、前記チャイルドロック機構を制御し、前記ドアをチャイルドロックさせることを特徴とする請求項１から請求項５のいずれか１項に記載のチャイルドロック装置。
【請求項７】
前記車両が走行中に、チャイルドロックの設定を解除する操作が行われた場合、前記制御手段は、前記ドアのチャイルドロック状態を継続させることを特徴とする請求項１から請求項６のいずれか１項に記載のチャイルドロック装置。
【請求項８】
前記オートチャイルドロック設定スイッチとは別に、前記ドアを開状態とした場合に、操作可能な位置に設置され、前記チャイルドロックを設定または設定を解除する手動設定スイッチが、さらに備えられ、
前記制御手段は、前記オートチャイルドロック設定スイッチよりも、前記手動設定スイッチの操作状態を優先して、前記ドアをチャイルドロックさせることを特徴とする請求項６または７に記載のチャイルドロック装置。
【発明の詳細な説明】
【技術分野】
【０００１】
本発明は、車両のドアが不本意に開けられることを防止するため、車内側にあるドアインナハンドルによる開ドア操作を無効にすることのできるチャイルドロック装置に関する。
【背景技術】
【０００２】
例えば自動車の後部座席に子供を乗車させた場合、その子供によりドアインナハンドルが操作されて、ドアが不本意に開けられるのを防止するため、ドアインナハンドルの操作状態に関係なく、車内側からはドアを開けることを不能としたいわゆるチャイルドロック装置が用いられている。
従来のチャイルドロック装置としては、例えば、車体側と対面するドアの端面側にチャイルドロックを設定または設定を解除するためのチャイルドレバーが設けられ、このチャイルドレバーはスイッチ（ロック解除用操作スイッチ）と連結され、スイッチのオン・オフ信号によってチャイルドレバーの操作状態を制御回路（フリップ・フロップ回路、第１アンドゲート回路、第２アンドゲート回路、アクチュエータ駆動回路など）に出力するようになっている。制御回路はチャイルドレバーがチャイルドロック設定側に操作された場合、アクチュエータに電流を供給し、アクチュエータを作動させることによりドアをチャイルドロックさせ、ドアインナハンドルからはドアを開けられないようにしたものがある（特許文献１）。
【特許文献１】特公平０５−６１４３０号公報（特許請求の範囲、図４）
【発明の開示】
【発明が解決しようとする課題】
【０００３】
しかしながら、前記従来の技術では、チャイルドロックの設定または解除操作を行うためのチャイルドレバーがドアの車体側端面に設けられているため、ドアを開けないとその操作を行うことができず、チャイルドロックの設定または設定の解除には手間がかかる問題があった。
また、チャイルドロックの設定は手動で行われるため例えば設定忘れなどによって、チャイルドロック機能が活かされず、走行中にもドアインナハンドルからドアを開けることができ、ドアを確実にチャイルドロックすることができないという問題があった。
本発明は、前記従来の問題点に鑑み、車両走行時にドアを確実にチャイルドロックできるチャイルドロック装置を提供することを目的としている。
【課題を解決するための手段】
【０００４】
このため請求項１に記載の発明は、ドアの車内側に設けられたドアインナハンドルによる開ドア操作を無効にすることができるチャイルドロック機能を電気的に制御可能なチャイルドロック装置であって、前記ドアをチャイルドロックするチャイルドロック機構と、走行状態検出手段が検出した車両の走行状態に基づき、前記チャイルドロック機構を制御する制御手段とを備え、前記制御手段は、前記走行状態検出手段によって前記車両が走行中であると検出された場合、前記チャイルドロック機構を制御し前記ドアをチャイルドロックさせるものとした。
【０００５】
請求項２に記載の発明は、前記ドアには当該ドアを自動で開閉する自動開閉手段が備えられ、前記自動開閉手段が作動禁止状態の場合、前記制御手段は、前記チャイルドロック機構を制御して前記ドアをチャイルドロックさせるものとした。
【０００６】
請求項３に記載の発明は、前記制御手段が、前記ドアをチャイルドロックさせた後、前記走行状態検出手段によって前記車両が走行停止したと検出された場合、ドアインナハンドルが操作された際に、前記チャイルドロックを解除するものとした。
【０００７】
請求項４に記載の発明は、前記制御手段が、前記ドアをチャイルドロックさせた後、前記走行状態検出手段によって前記車両が走行停止したと検出された場合、所定時間が経過した後に、前記チャイルドロックを解除するものとした。
【０００８】
請求項５に記載の発明は、前記制御手段が、前記ドアをチャイルドロックさせた後、前記走行状態検出手段によって前記車両が走行停止したと検出された場合、所定時間が経過した後であって、かつ、ドアインナハンドルが操作された際に、前記チャイルドロックを解除するものとした。
【０００９】
請求項６に記載の発明は、チャイルドロックの設定または設定を解除するオートチャイルドロック設定スイッチが、さらに備えられ、前記制御手段は、前記オートチャイルドロック設定スイッチの操作状態に応じて、前記チャイルドロック機構を制御し、前記ドアをチャイルドロックさせるものとした。
【００１０】
請求項７に記載の発明は、前記車両が走行中に、チャイルドロックの設定を解除する操作が行われた場合、前記制御手段は、前記ドアのチャイルドロック状態を継続させるものとした。
【００１１】
請求項８に記載の発明は、前記オートチャイルドロック設定スイッチとは別に、前記ドアを開状態とした場合に、操作可能な位置に設置され、前記チャイルドロックを設定または設定を解除する手動設定スイッチが、さらに備えられ、前記制御手段は、前記オートチャイルドロック設定スイッチよりも、前記手動設定スイッチの操作状態を優先して、前記ドアをチャイルドロックさせるものとした。
【発明の効果】
【００１２】
請求項１に記載の発明によれば、車両が走行している場合、ドアを自動的にチャイルドロックすることにより、走行中にドアインナハンドルによる開ドアをロックすることが確実にできる。またチャイルドロックを設定するための操作も不要のため、設定の手間を省けるとともに、設定忘れなどにより走行中にドアインナハンドルによる開ドアすることを防止できる。
【００１３】
請求項２に記載の発明によれば、ドアが自動開閉手段によって自動で開閉できる構成の場合、自動開閉手段が作動禁止状況では、ドアをチャイルドロックする状況がさらに付加されるので、例えば自動開閉手段の作動禁止では、コントロールできない状態（例えば手動によるドア開閉）でも、走行時にはドアインハンドルによる開ドアを確実に防止することができる。
【００１４】
請求項３に記載の発明によれば、車両が走行中にチャイルドロックが設定され、走行停止した場合に、ドアインナハンドル操作によってチャイルドロックを解除するため、車両が走行停止するたびにチャイルドロックが解除されるような頻繁な作動が防止される。
また、ドアインナハンドルを操作するだけで、チャイルドロックの解除と開ドアを同時に行うことができ利便性が向上する。
【００１５】
請求項４に記載の発明によれば、車両が走行中にチャイルドロックが設定され、走行停止した場合に、所定時間経過後に自動的にチャイルドロックを解除するため、車両が走行停止するまでは、確実にチャイルドロック状態を保持し、車両が走行停止するたびにチャイルドロックが解除されるような頻繁な作動を防止可能である。
また、チャイルドロックを解除するための操作が不要で利便性が向上する。
【００１６】
請求項５に記載の発明によれば、車両が走行中にチャイルドロックが設定され、走行停止した場合に、所定時間経過した後、かつドアインナハンドルが操作された際にチャイルドロックを解除するため、車両が確実に走行停止するまではチャイルドロック状態が保持される。また走行停止後にはドアインナハンドルが操作されたときのみ、チャイルドロックを解除するため、不必要なチャイルドロックの解除を防ぐ一方、ドアインナハンドルを操作するだけで、チャイルドロックの解除と開ドアを同時に行うことができ、利便性が向上する。
【００１７】
請求項６に記載の発明によれば、チャイルドロックの設定を行うオートチャイルドロック設定スイッチが備えられることにより、車両が走行状態による設定でカバーできない車両停止時にもドアをチャイルドロックすることができる。走行中のみならず、従来のように停車中にもドアインナハンドルによる開ドアを防止できる。
また、走行状態によるチャイルドロックの設定に加えて、オートチャイルドロック設定スイッチによるチャイルドロックの設定を設けたことにより、走行時にはさらに確実にチャイルドロックを設定することができる。
【００１８】
請求項７に記載の発明によれば、車両が走行中にチャイルドロックを解除するような操作が行われた場合、チャイルドロック状態が継続されることによって、走行中にドアインナハンドルによる開ドアを確実に防止できる。
【００１９】
請求項８に記載の発明によれば、オートチャイルドロック設定スイッチの他に、同じ機能を有する手動設定スイッチがさらに備えられることにより、例えば、オートチャイルドロック設定スイッチが運転席側に、手動設定スイッチはドアが開状態の場合のみ操作できる車体側と対面するドアの端面側に設置することができる。そして、この手動設定スイッチは、オートチャイルドロック設定スイッチよりも優先的にチャイルドロックの設定を行うことができるため、さらに確実にドアをチャイルドロックさせることができるとともに、故障時などの応急措置として車外側からドアを開けてこの手動設定スイッチを操作することによりチャイルドロックの設定を解除することができる。
【発明を実施するための最良の形態】
【００２０】
次に、本発明に係る実施形態について説明する。図１は、チャイルドロック装置の構成を示す図である。
チャイルドロック装置は、ＥＣＵ（Electronic Control Unit）１と、遠隔操作スイッチ３と、ドア側操作スイッチ４と、車速信号発生器６と、シフトレバーＰ（パーキング）ポジションスイッチ５と、ドアロックアクチュエータ１４を備えている。
ＥＣＵ１が、本発明における制御手段を構成している。
車速信号発生器６とシフトレバーＰ(パーキング)ポジションスイッチ５が、本発明における走行状態検出手段を構成している。
遠隔操作スイッチ３が、本発明におけるオートチャイルドロック設定スイッチを構成している。
ドア側操作スイッチ４が、本発明における手動設定スイッチを構成している。
なお、本実施形態では、便宜上、走行状態検出手段をチャイルドロック装置の構成に含めて説明する。
【００２１】
ＥＣＵ１は、バッテリ８からの電源供給で動作するものである。バッテリ８とＥＣＵ１の間にイグニッションスイッチ２が接続され、イグニッションスイッチ２がオン状態のとき、ＥＣＵ１に高電位が印加され、オフ状態のときには、低電位が印加され、電位の高低によってＥＣＵ１がイグニッションスイッチ２の状態を認識する。
【００２２】
遠隔操作スイッチ３は、運転者によって操作できるように運転席側に設置される。遠隔操作スイッチ３の操作によって、チャイルドロックを設定または設定を解除することができるようになっている。遠隔操作スイッチ３の操作状態は電位の高低を示す電気信号によってＥＣＵ１に知らされる。
ドア側操作スイッチ４は、図５の（ａ）に示すように車体と対面するドア３０の端面側に設置され、ドア３０を開状態とした場合のみ操作できるようになっている。このドア側操作スイッチ４によっても、チャイルドロックを設定または設定を解除することができる。なお、チャイルドロックを確実なものにする目的と、故障時などの応急措置としてチャイルドロックを容易に解除するため、ドア側操作スイッチ４の優先度が遠隔操作スイッチ３よりも高いものとする。
車速信号発生器６は、車両が走行時の車速を検出しパルス信号としてＥＣＵ１に出力する。
シフトレバーＰ（パーキング）ポジションスイッチ５は、シフトレバーがＰ（パーキング）ポジション位置に入ったことを検知するもので、電位の高低で検知結果をＥＣＵ１に知らせている。
【００２３】
ＥＣＵ１は、ＣＰＵ（Central Processing Unit）１１と、トランジスタ１２と、トランジスタ１３と、第１リレーＲＬ１と、第２リレーＲＬ２とを備えている。
ＣＰＵ１１の出力端子Ｓに抵抗を介してトランジスタ１２のベースが接続され、トランジスタ１２のエミッタが接地され、コレクタは第１リレーＲＬ１を介してバッテリ８に接続されている。
ＣＰＵ１１の出力端子Ｔには抵抗を介してトランジスタ１３のベースが接続され、トランジスタ１３のエミッタが接地され、コレクタは第２リレーＲＬ２を介してバッテリ８に接続されている。
第１リレーＲＬ１、第２リレーＲＬ２はともに常時、可動接点が接地側の固定接点に接続されている。ドアロックアクチュエータ１４は運転席を除く他のドア３０のそれぞれに配されたロック機構２０（図５参照）に備えられ、ＥＣＵ１の制御で運転席ドアを除く全てのドア３０を同時にチャイルドロックできるようになっている。
【００２４】
ドアロックアクチュエータ１４の両端はそれぞれ第１リレーＲＬ１、第２リレーＲＬ２の可動接点に接続されている。したがって、ＣＰＵ１１の出力端子Ｓから駆動信号が出力されると、トランジスタ１２の駆動によって第１リレーＲＬ１が動作し、ドアロックアクチュエータ１４に正方向の電流が流れることによってドアロックアクチュエータ１４がドアをロックする。
出力端子Ｔから駆動信号が出力されると、第２リレーＲＬ２が動作し、前記とは逆に負方向の電流がドアロックアクチュエータ１４に流れ、このとき、ドアロックアクチュエータ１４は、ドア３０のチャイルドロックを解除する。
【００２５】
図５は、ドアおよびドアをチャイルドロックするロック機構の構成を示す図である。
図５の（ａ）で示すようにドア３０のアウトーパネルおよびインナーパネル側には、ドア３０を開ける時に操作されるドアアウタハンドル（図示しない）およびドアインナハンドル３１がそれぞれ設けられている。
ドア３０の車体と対面する端面側には、車体側に固着されたストライカと係脱可能なロック機構２０が内設されており、図５の（ｂ）に示すようにロック機構２０内の図示しないロック解除機構に連結している軸２１には、ロック解除レバー２２の基部が固着されている。
【００２６】
ドアロックアクチュエータ１４の出力軸２４は、作動レバー２５の基部と固着されており、この作動レバー２５と前記ロック解除レバー２２とは、連結棒２３によって接続されている。
ドアインナハンドル３１およびドアアウタハンドルはそれぞれスイッチと連結され、ＥＣＵ１はこのスイッチの状態によって、車内側からの開ドアまたは車外側からの開ドアかを判断し、チャイルドロックを設定した状態ではドアインナハンドル３１による開ドアを無効とする。
したがって、ロック機構２０は通常のロック機能のほかに、ＥＣＵ１によるドアロックアクチュエータ１４の制御の結果、チャイルドロックの設定または設定を解除する機能も備えることになる。前記車両における右側のドアについて説明したが、左側のドアも同じように構成されている。すなわち、ＥＣＵ１の制御でドアロックアクチュエータ１４が動作することによって運転席側を除く各ドアはチャイルドロック設定また設定を解除できるものである。
【００２７】
ＥＣＵ１は、イグニッションスイッチ２、遠隔操作スイッチ３、ドア側操作スイッチ４、シフトレバーＰ（パーキング）ポジションスイッチ５からの電位信号と、車速信号発生器６からの車速パルス信号に基づいて、ドアロックアクチュエータ１４を制御することになっている。
すなわち、遠隔操作スイッチ３、ドア側操作スイッチ４がチャイルドロック機能設定側に操作されていない場合、イグニッションスイッチ２がオンした状態で、車速信号発生器６から例えば５ｋｍ／ｈ以上の車速信号が入力された場合、ＥＣＵ１は、ドア３０をチャイルドロックするようにドアロックアクチュエータ１４を制御する。
【００２８】
遠隔操作スイッチ３またはドア側操作スイッチ４のいずれか一方が、チャイルドロック機能設定側に操作された場合は、車両の走行状態に拘らず、ＥＣＵ１は、ドア３０をチャイルドロックするようにドアロックアクチュエータ１４を制御する。この場合、車両の外からドア３０が開けられるように、ドアインナハンドル３１による開ドア操作を無効とし、ドアアウタハンドルによる開ドア操作を可能とする。なお、車両走行中の場合チャイルドロックを設定する代わりに、ドアインナハンドル３１とドアアウタハンドルの両方とも開ドア不能なデッドロックとすることができる。
【００２９】
次に、タイムチャートにしたがってチャイルドロック装置の動作を説明する。
図２は、遠隔操作スイッチ３、ドア側操作スイッチ４がチャイルドロック機能非設定側に設定された場合のタイムチャートである。
この場合、遠隔操作スイッチ３、ドア側操作スイッチ４はともに、オフ（ＯＦＦ）状態であるため、ＥＣＵ１はシフトレバーＰ（パーキング）ポジションスイッチ５の状態および車速信号発生器６からの車速情報に基づいてチャイルドロックの設定を行う。
【００３０】
すなわち、車両が走行可能なイグニッションスイッチ２オン（ＯＮ）状態で、ＥＣＵ１は車速信号発生器６からの車速信号で車速が５ｋｍ／ｈ以上になったか否かを判断する。このとき誤差のため例えばプラス、マイナス２ｋｍ／ｈを許容値として与えられる。
時刻ｔ１で車速が５ｋｍ／ｈ以上であると判断された場合、ＥＣＵ１はドアロックアクチュエータ１４に正方向の駆動電流を出力する。これによって、時刻ｔ１より少し遅れた時刻ｔ２でドアがチャイルドロックされる。これによって、ドアのチャイルドロック状態がオン（ＯＮ）となる。
【００３１】
そして、時刻ｔ３でＥＣＵ１は、車速が５ｋｍ／ｈ未満になったことを判断すると、シフトレバーＰ（パーキング）ポジションスイッチ５からの電位信号を入力する。その電位信号に基づいてシフトレバーＰ（パーキング）ポジションスイッチ５の状態を判断する。時刻ｔ４でシフトレバーＰ（パーキング）ポジションスイッチ５がオン（ＯＮ）になったことを検出すると、車両が停車したとして、ＥＣＵ１は、所定時間Ｓ１を遅延した時刻ｔ５でドアロックアクチュエータ１４に負方向の電流を流して、チャイルドロックの設定を解除する。これによって、ドア３０のチャイルドロック状態がオフ（ＯＦＦ）になる。所定時間Ｓ１は車両が確実に停車するまで、走行中のチャイルドロック状態を保つようにするためのものである。この所定時間Ｓ１を設けることによって、例えば車両が走行停止するたびにチャイルドロックが解除されるような頻繁な動作を防止することができる。チャイルドロックの解除については、所定時間Ｓ１経過後に例えばドアインナハンドル３１が操作されたときに行うことも可能である。この場合、ドアインナハンドルを操作するだけで、チャイルドロックの解除と開ドアを同時に行うことができ、利便性が向上する。
【００３２】
図３は、遠隔操作スイッチ３だけがチャイルドロック機能設定側に設定された場合のタイムチャートである。
この場合、ドア側操作スイッチ４はチャイルドロック機能非設定側のオフ（ＯＦＦ）状態にあるため、ＥＣＵ１は、遠隔操作スイッチ３の操作状態に基づいてチャイルドロックの設定または設定の解除を行う。なお、この場合、車両走行状態に関係なく、設定を行うものである。
【００３３】
すなわち、時刻ｔ１で、ＥＣＵ１は、運転席側に設けられた遠隔操作スイッチ３がオン（ＯＮ）状態であることを検出すると、チャイルドロックを設定するように、一定時間遅延後の時刻ｔ２で、ドアロックアクチュエータ１４に正方向の駆動電流を流し、ドアロックアクチュエータ１４を動作させることによってドア３０をチャイルドロックする。これによって、チャイルドロック状態がオン（ＯＮ）となる。
【００３４】
そして、時刻ｔ３で遠隔操作スイッチ３がチャイルドロック機能非設定側のオフ（ＯＦＦ）状態に切り換えられると、所定時間Ｓ２が経過した後、ＥＣＵ１はドアロックアクチュエータ１４に負方向の駆動電流を出力し、チャイルドロックの設定を解除する。これによって、ドア３０のチャイルドロック状態がオフ（ＯＦＦ）になる。所定時間Ｓ２は前記走行状態による設定時の前記所定時間Ｓ１よりも短く設定されている。これにより、スイッチ操作してチャイルドロック解除を行った場合、チャイルドロックが解除されるまでの時間が短くなり緊急に備えることが可能である。
【００３５】
図４は、ドア側操作スイッチ４がチャイルドロック機能設定側に設定された場合のタイムチャートである。
この場合、優先度の高いドア側操作スイッチ４がチャイルドロック機能設定側のオン（ＯＮ）状態にあるため、ＥＣＵ１は、ドア側操作スイッチ４の操作状態を優先して、チャイルドロックの設定または設定の解除を行う。なお、この場合も、車両走行状態に関係なく、設定を行うものである。
すなわち、時刻ｔ１で、ドア３０を開けて（図５参照）ドア側操作スイッチ４をオン（ＯＮ）に操作すると、ＥＣＵ１は、少し時間を遅延した時刻ｔ２で、ドアロックアクチュエータ１４に正方向の駆動電流を流し、ドアロックアクチュエータ１４を動作させることによってドアをチャイルドロックする。これによって、ドアのチャイルドロック状態がオン（ＯＮ）となる。したがって、時刻ｔ３で、優先度の低い遠隔操作スイッチ３がオン（ＯＮ）操作されても、チャイルドロック状態が維持されるのみである。
【００３６】
そして、時刻ｔ４で遠隔操作スイッチ３がオフ（ＯＦＦ）操作された場合、ＥＣＵ１は、ドア側操作スイッチ４の設定を優先するため、遠隔操作スイッチ３によるチャイルドロックの解除を受付禁止し、ドア３０のチャイルドロック状態が維持される。
時刻ｔ５でドアアウタハンドルによって車外側からドア３０が開けられドア側操作スイッチ４がオフ（ＯＦＦ）に操作されると、ＥＣＵ１は、一定時間経過後の時刻ｔ６でチャイルドロックを解除する。チャイルドロックの解除によってドアインナハンドルによる開ドアも可能になる。
【００３７】
以上のように、車両が走行している場合、ドアを自動的にチャイルドロックすることにより、チャイルドロックの設定を確実に行うことができるととも、従来のように、車両停止時にドアを開けてチャイルドレバーを操作してチャイルドロックを設定する手間も省ける。
【００３８】
また、車両が走行停止したと検出した場合、所定時間Ｓ１が経過後にドアのロックを解除することによって、車両走行中にチャイルドロック状態を確実に保持することができるとともに、一時的な走行停止によってドアロックアクチュエータ１４が頻繁に動作することを防止することができるため、煩わしい作動音の発生を抑えることができる。
なお、所定時間Ｓ１を設ける代わりに、例えばドアインナハンドル３１が操作された場合だけ、チャイルドロックの設定を解除し開ドアを可能とすることができる。この場合、前記同様に、車両走行中にチャイルドロック状態を確実に保持でき、しかも一時的な走行停止によってドアロックアクチュエータ１４が頻繁に動作することを防止することができる。
【００３９】
さらに、ドアのチャイルドロックまたはチャイルドロックの解除を設定する遠隔操作スイッチ３が備えられることにより、運転席からでもその設定を行うことができるとともに、車両走行状態による設定でカバーできない車両停止時にもドアをチャイルドロックすることができる。走行中のみならず、従来のように停車中にもドアをチャイルドロックできるようになる。
【００４０】
遠隔操作スイッチの他にドア３０のチャイルドロックまたはチャイルドロックの解除を設定でき、ドアを開状態のときのみ操作できるドア側操作スイッチ４が備えられることにより、さらに確実にドアをチャイルドロックすることができるとともに、故障時などの応急措置としてドアを開けてこの手動設定スイッチを操作することにより、遠隔操作スイッチ３の状態に拘らずチャイルドロックを解除することができる。
【００４１】
前記チャイルドロック装置は、ドアに当該ドアを自動で開閉する自動開閉機構の有無に拘らず利用できるが、自動開閉機構やキーレスシステムを備えた車両では、さらに以下のように作動させることもできる。
例えば、パワースライドドアの場合、図１に示すように、パワースライドドアを制御するパワードアロックシステム９（自動開閉手段）がＥＣＵ１に接続されるようにする。車両にドアをキーレスで施錠、解錠できるキーレスシステムを備えた場合、キーレス受信ユニット７もＥＣＵ１に接続されるようにする。
【００４２】
ＥＣＵ１は、キーレス受信ユニット７、パワードアロックシステム９からの信号で、例えばパワードアロックシステム９が作動禁止状態の場合、また、ドアを開閉するためのメインスイッチによる機能停止の場合、前記遠隔操作スイッチ３およびドア側操作スイッチ４がチャイルドロック機能非設定側に設定された場合でも、チャイルドロックを設定する。
この場合、チャイルドロックの設定解除は、車両が走行停止した場合に、所定時間が経過し、かつドアインナハンドル操作が行われた場合に行うことが可能である。
【００４３】
このようにすることによって、パワードアロックシステム９の作動禁止状況以外に、ドアをチャイルドロックする状況がさらに付加されるので、パワードアロックシステム９の作動禁止で、コントロールできない状態（手動によるドア開閉）でも、走行時を含めて確実にドアをチャイルドロックすることができる。
なお、本実施形態では、車両走行時のロック解除は、シフトレバーＰ（パーキング）ポジションスイッチ５によって車両が停車したと検出した場合に行ったが、シフトレバーＰ（パーキング）ポジションスイッチ５の情報は必須なものではなく、車速によって車両が停車したと判断した場合に行ってもよい。
【図面の簡単な説明】
【００４４】
【図１】チャイルドロック装置の構成を示す図である。
【図２】遠隔操作スイッチ、ドア側操作スイッチがチャイルドロック機能非設定側に設定された場合のタイムチャートである。
【図３】遠隔操作スイッチがチャイルドロック機能設定側に設定された場合のタイムチャートである。
【図４】ドア側操作スイッチがチャイルドロック機能設定側に設定された場合のタイムチャートである。
【図５】ドアおよびドアをロックするロック機構の構成を示す図である。
【符号の説明】
【００４５】
１      ＥＣＵ
２      イグニッションスイッチ
３      遠隔操作スイッチ
４      ドア側操作スイッチ
５      シフトレバーＰ（パーキング）ポジションスイッチ
６      車速信号発生器
７      キーレス受信ユニット
８      バッテリ
９      パワードアロックシステム
１１    ＣＰＵ
１２    トランジスタ
１３    トランジスタ
１４    ドアロックアクチュエータ
２０    ロック機構
２２    ロック解除レバー
３０    ドア
２５    作動レバー
３１    ドアインナハンドル
ＲＬ１  第１リレー
ＲＬ２  第２リレー
Ｓ      出力端子
Ｔ      出力端子
【図１】
2005273173.tif 000003
【図２】
2005273173.tif 000004
【図３】
2005273173.tif 000005
【図４】
2005273173.tif 000006
【図５】
2005273173.tif 000007